(57)【要約】【課題】録音部により録音される操作部への操作に伴って生じる音をより効果的に除去することができる録音機器を提供する。【解決手段】録音部６の録音処理時において、制御部７は操作部３により何らかの操作の検出がなされたか否かを判定し、操作の検出がなされた場合には、操作の検出がなされたタイミングを操作の検出タイミング情報として、録音部６により録音された録音データと関連付けて記憶部４に記憶する。そして、録音データの再生時には、録音データに関連付けられた操作の検出タイミングを基に、制御部７がキークリック音除去処理を施す。【選択図】図１
2010054867.tif 000002
【特許請求の範囲】
【請求項１】
音声を録音する録音部と、
操作を検出する操作検出部と、
前記録音部に録音された音声を記憶する記憶部と、
前記記憶部に記憶された前記音声に対して所定の制御を行う制御部と、
を有し、
前記制御部は、前記録音部により音声が録音されているときに前記操作検出部により操作が検出された場合には、前記操作検出部により操作が検出されてから所定時間前において前記録音部により録音された音声に対して所定の編集を行う
ことを特徴とする録音機器。
【請求項２】
前記制御部は、前記録音部により音声が録音されているときに前記操作検出部により操作が検出された場合には、前記操作検出部により操作が検出されてから所定時間前の時点の前または後に前記録音部により録音された音声を、前記所定時間前に前記録音部によって録音された音声に置換することにより前記編集を行う
ことを特徴とする請求項１に記載の録音機器。
【請求項３】
前記記憶部は、前記操作検出部に対する操作がなされた場合に当該操作に伴って生じる音声であって前記録音部により録音されたものを低減させるための音声低減データを予め記憶し、
前記制御部は、前記録音部により音声が録音されているときに前記操作検出部により操作が検出された場合には、前記操作検出部により操作が検出されてから所定時間前において前記録音部に録音された音声に前記低減データを合成することにより前記編集を行う
ことを特徴とする請求項１に記載の録音機器。
【請求項４】
前記所定時間は、前記操作検出部に対する操作が行われてから前記操作検出部により操作が検出されるまでの時間である
ことを特徴とする請求項１から３のいずれか一項に記載の録音機器。
【請求項５】
前記操作検出部を複数有し、
前記記憶部は、前記複数の操作検出部に含まれる各操作検出部に対応してそれぞれ異なる前記低減データを記憶し、
前記制御部は、前記録音部により音声が録音されているときに、前記複数の操作検出部に含まれる一の操作検出部により操作が検出された場合には、前記操作検出部により操作が検出されてから所定時間前において前記録音部に録音された音声に前記一の操作検出部に対応する前記低減データを合成することにより前記編集を行う
ことを特徴とする請求項１から４のいずれか一項に記載の録音機器。
【請求項６】
前記操作検出部を複数有し、
前記記憶部は、前記複数の操作検出部に含まれる各種検出部に対してそれぞれ異なる前記所定時間を記憶し、
前記制御部は、前記録音部により音声が録音されているときに前記複数の操作検出部に含まれる一の操作検出部により操作が検出された場合には、前記一の操作検出部により操作が検出されてから前記一の操作検出部に対応する前記所定時間前において前記録音部により録音された音声に対して所定の編集を行う
ことを特徴とする請求項１から４のいずれか一項に記載の録音機器。
【発明の詳細な説明】
【技術分野】
【０００１】
本発明は、操作部を有し、音声を録音する録音部を有する録音機器に関する。
【背景技術】
【０００２】
例えば、カメラ付きの携帯端末などにおいて、動画を撮影可能なものがある。
このような携帯端末においては、動画を撮影しながら、ズームイン・アウトやホワイトバランスの調整などを行うことができる。
これらの操作は、携帯端末に設けられたキー・ボタン等の操作部を介してなされる。
【０００３】
上述したような携帯端末は、動画の録画とともに、周囲の音を録音することができるものが多い。
このような携帯端末において、動画の録画とともに音声を録音しつつ、ズームイン・アウトなどの各種操作が行われる場合、操作によるクリック音が携帯端末の筐体を通じ、周囲の音声とともに録音されてしまうことがある。
【０００４】
携帯端末の操作部は、一般に、ユーザに操作したことを感知させるためにクリック感を持たせている。すなわち、操作部が操作されるたびに、キークリック音（例えば「ポツ、ポツ」といった音）が生じる。
このキークリック音は、周囲の音声を録音中のマイクにより録音されてしまうのである。
【０００５】
このように、操作をしながら行った録音を後に聞いてみると、周囲の音声とともに「ポツ、ポツ」というキークリック音が混じって再生され、周囲の音声が聞きとりづらくなってしまう、という事態が生じていた。
このような事態は、動画の録画を行うことができる携帯端末だけではなく、操作部を有し、録音を行うことができる録音機器全般において生じている。
このような事態を解消する技術として、例えば特許文献１に開示された技術がある。
【０００６】
【特許文献１】特開２００６−３９１０５号公報
【発明の開示】
【発明が解決しようとする課題】
【０００７】
特許文献１には、録音を行っている際に操作を検出すると、録音されている音声に対してフィルタ処理を行う音声録音装置が開示されている。
しかし、特許文献１に開示された技術では、操作が電気的に感知されてからその時点での録音に対しフィルタ処理を行っているため、操作により生じるクリック音が録音された後、或いはクリック音の後半部分のみに対してフィルタ処理が行われることとなる。すなわち、クリック音の発生と同時にフィルタ処理を行うことができないため、クリック音を完全に除去することができない、という不利益があった。
【０００８】
本発明は、録音部により録音される、操作部への操作に伴って生じる音をより効果的に除去することができる録音機器を提供することを目的とする。
【課題を解決するための手段】
【０００９】
第１の発明の録音機器は、音声を録音する録音部と、操作を検出する操作検出部と、前記録音部に録音された音声を記憶する記憶部と、前記記憶部に記憶された前記音声に対して所定の制御を行う制御部と、を有し、前記制御部は、前記録音部により音声が録音されているときに前記操作検出部により操作が検出された場合には、前記操作検出部により操作が検出されてから所定時間前において前記録音部により録音された音声に対して所定の編集を行う。
【００１０】
好適には、前記制御部は、前記録音部により音声が録音されているときに前記操作検出部により操作が検出された場合には、前記操作検出部により操作が検出されてから所定時間前に前記録音部により録音された音声を、前記所定時間前の時点の前または後に前記録音部によって録音された音声に置換することにより前記編集を行う。
【００１１】
好適には、前記記憶部は、前記操作検出部に対する操作がなされた場合に当該操作に伴って生じる音声であって前記録音部により録音されたものを低減させるための音声低減データを予め記憶し、前記制御部は、前記録音部により音声が録音されているときに前記操作検出部により操作が検出された場合には、前記操作検出部により操作が検出されてから所定時間前において前記録音部に録音された音声に前記低減データを合成することにより前記編集を行う。
【００１２】
好適には、前記所定時間は、前記操作検出部に対する操作が行われてから前記操作検出部により操作が検出されるまでの時間である。
【００１３】
好適には、前記操作検出部を複数有し、前記記憶部は、前記複数の操作検出部に含まれる各操作検出部に対応してそれぞれ異なる前記低減データを記憶し、前記制御部は、前記録音部により音声が録音されているときに、前記複数の操作検出部に含まれる一の操作検出部により操作が検出された場合には、前記操作検出部により操作が検出されてから所定時間前において前記録音部に録音された音声に前記一の操作検出部に対応する前記低減データを合成することにより前記編集を行う。
【００１４】
好適には、前記操作検出部を複数有し、前記記憶部は、前記複数の操作検出部に含まれる各種検出部に対してそれぞれ異なる前記所定時間を記憶し、前記制御部は、前記録音部により音声が録音されているときに前記複数の操作検出部に含まれる一の操作検出部により操作が検出された場合には、前記一の操作検出部により操作が検出されてから前記一の操作検出部に対応する前記所定時間前において前記録音部により録音された音声に対して所定の編集を行う。
【発明の効果】
【００１５】
録音部により録音される操作部への操作に伴って生じる音をより効果的に除去することができる。
【発明を実施するための最良の形態】
【００１６】
以下、本発明の録音機器の実施形態の携帯端末１００について説明する。
以下の実施形態の携帯端末１００は、携帯電話機を想定している。
図１は、実施形態の携帯端末１００の構成の一例を示すブロック図である。
【００１７】
図１に示すように、携帯端末１００は、通信部１、表示部２、操作部（操作検出部）３、記憶部４、撮像部５、録音部６、制御部７を有する。
【００１８】
通信部１は、図１に図示しない基地局との間の無線通信に関する処理を行う。例えば、後述する制御部７から供給される送信データに所定の変調処理を施して無線信号に変換して送出する。あるいは、基地局から受信した無線信号に所定の復調処理を施して受信データに変換し、制御部７に出力する。
通信部１が送受信するデータは、例えば、携帯端末１００の音声通話時の音声データ、メール送受信時のメールデータ、これらに添付する画像データ等である。
【００１９】
表示部２は、例えば液晶表示パネルや有機ＥＬ（Electro-Luminescence）パネルなどで構成された表示デバイスである。表示部２は、制御部７から供給される画像データに応じた画像を表示する。
例えば、発信時における発信先の電話番号や、着信時における着信相手の電話番号、受信メールや送信メールの内容、後述する撮像部５が取り込んだ撮影結果の画像、インターネットのＷｅｂページを閲覧するブラウザ画面、待ち受け画面、日付、時刻、バッテリ残量等を表示する。
【００２０】
操作部３は、例えば数字キー（操作検出部の一つ）、文字キー（操作検出部の一つ）、矢印キー（操作検出部の一つ）、決定キー（操作検出部の一つ）など、各種の機能を持った複数のキー・ボタン（複数の操作検出部）よって構成された入力デバイスである。
操作部３は、これらのキー・ボタンがユーザによって操作された場合に、その操作を検出するとともに、その検出された操作に応じた電気信号を制御部７に出力する。
本実施形態の操作部３は、これらのキー・ボタンに対して押下などの操作を行うユーザに対して操作感を持たせるために、操作に対してクリック感が生じるように構成されている。このため、操作部３が操作されるごとにキークリック音が生じる。このキークリック音は大きい音ではないが、例えば後述する録音部６による音声録音中に操作部３が操作された場合には、周囲の音声と一緒にキークリック音が録音されてしまう。
また、本実施形態の操作部３は、例えばメタルドーム等により操作を検出する。操作部３の操作検出の際には、操作部３が実際に操作され始めてから、メタルドームなどの接点が電気的に接続されて操作が検出されるようになるまで、若干のタイムラグが生じる。このタイムラグは、操作部３の位置、大きさ、範囲、形状、材質等に応じて定まるものであるため、操作部３を構成する複数のキー・ボタンはそれぞれ異なる値を有することになる。
【００２１】
記憶部４は、ＲＯＭ（Read Only Memory）、ＲＡＭ（Random Access Memory）などの記憶デバイスである。記憶部４は、携帯端末１００の各種処理に関するデータ、撮像部５が撮影した画像データ、録音部６が録音した録音データ、あるいは制御部７が携帯端末１００の各種機能を実行するためのプログラム等を記憶している。
また、記憶部４は、操作部３を構成する複数のキー・ボタンのそれぞれに応じたタイムラグに関する情報、および、複数のキー・ボタンのそれぞれに対応するキークリック音を低減するための低減データを記憶している。低減データに関しての詳細は後述する。
【００２２】
撮像部５は、例えばＣＭＯＳ（Complementary Metal-Oxide Semiconductor）やＣＣＤ（Charge Coupled Device）などの固体撮像素子を使用したカメラデバイスである。
撮像部５は、ユーザの操作に応じて、静止画、動画などの撮影が可能である。また、撮影中にも、撮影に関する設定を操作部３に対する操作により変更することが可能に構成されている。
【００２３】
録音部６は、図示しないマイクロフォンを介して入力される外部からの音声を録音する。録音されたデータは記憶部４に記憶可能に構成される。
録音部６は、単体で録音することも可能であるし、撮像部５と連動して、いわゆるムービー（動画像とシンクロした音声）の音声部分を録音することも可能である。
【００２４】
制御部７は、上述した各構成を統括的に制御し、携帯端末１００の各動作・処理を実行する制御ブロックである。制御部７は、例えばＣＰＵ（Central Processing Unit）により構成される。
制御部７により実行される携帯端末１００の処理は、例えば、音声通話処理、メール送受信処理、Ｗｅｂブラウジング処理、撮像部５による撮像処理、録音部６による録音処理などである。
【００２５】
以下、制御部７による録音部６の録音処理中に、操作部３に対する操作が生じた場合の制御について説明する。
図２は、制御部７による録音部６の録音処理中に、操作部３に対する操作が生じた場合のタイムチャートの一例を示した図である。
図２（ａ）は、操作部３を構成する複数のキー・ボタンに含まれる一のキー・ボタンに対する操作を示すタイムチャートである。図２（ａ）では、ｏｆｆからｏｎに切り替わった時点（操作タイミングの１つ）が一のキー・ボタンへの操作の開始時を示し、ｏｎからｏｆｆに切り替わった時点（操作タイミングの一つ）が一のキー・ボタンへの操作の終了時を示している。
【００２６】
図２（ｂ）は、録音部６の音声録音データにおける、図２（ａ）に示す一のキー・ボタンへの操作に伴って生じるキークリック音のタイミングを示したタイムチャートである。
図２（ｂ）においては、×印が付された部位にキークリック音が録音されていることを示している。
録音部６による音声録音中に操作部３に対する操作が生じた場合には、操作開始時と操作終了時にそれぞれキークリック音が生じる。したがって、図２（ｂ）に示すように、図２（ａ）に示す操作ＯＮのタイミングまたはＯＦＦのタイミングと、キークリック音の発生するタイミングとは、ほぼ同時である。
【００２７】
図２（ｃ）は、図２（ａ）に示す一のキー・ボタンへの操作を操作部３が検出する検出タイミングを示すタイムチャートである。
図２（ｃ）に示すように、操作部３の操作検出の際には、実際に操作され始めてから、メタルドームなどの接点が電気的に接続されて操作が検出されるまで、或いは操作が終了してから、メタルドームなどの接点における電気的な接続が解除されて操作の検出が終了されるまでに若干のタイムラグが生じる。一のキー・ボタンに対応するこのタイムラグを以下ｔ１秒であるとする。
【００２８】
図２（ｂ）及び図２（ｃ）を参照すれば、録音部６の音声録音中に一のキー・ボタンに対する操作が開始された場合または終了された場合、実際に録音データ中に録音されるキークリック音のタイミングと、一のキー・ボタンが検出する操作のタイミングにはｔ１秒のずれが生じていることがわかる。
本実施形態の携帯端末１００では、後述する録音データの再生時にキークリック音に対して所定の処理を施すことを目的として、制御部７の制御のもと、録音部６による録音処理時には、図２（ｃ）に示すような一のキー・ボタンが検出した操作の検出タイミングを記憶部４に記憶しておく。
【００２９】
次に、録音部６が録音した録音データが再生される場合の処理について説明する。
図３は、録音データ再生時におけるキークリック音の発生タイミングと、これに対する所定の処理のタイミングを示したタイムチャートである。
録音部６により録音された録音データが再生される場合、制御部７はまず、記憶部４に記憶された録音処理時の操作の検出タイミングを基に、録音データにキークリック音が入っているか否かの判定を行う。
キークリック音が入っていると判定された場合には、制御部７は、記憶部４に記憶された録音処理時の操作の検出タイミングを参照して、操作部３を構成する複数のキー・ボタンから実際に操作されたキー・ボタンの種別を特定する。
【００３０】
図３（ａ）は、録音処理時の操作の検出タイミングを示したタイムチャートである。
図３（ａ）に示すタイムチャートは、図２（ｃ）に示すタイムチャートと同様のタイムチャートである。
図３（ｂ）は、録音データ上におけるキークリック音のタイミング（×印が付された部位）を示したタイムチャートである。
図３（ｂ）に示すタイムチャートは、図２（ｂ）に示すタイムチャートと同様のタイムチャートである。
【００３１】
図３（ａ）及び（ｂ）に示すように、録音データ上におけるキークリック音の発生タイミングは、操作の検出タイミングよりも早い位置に存在する。
すなわち、制御部７は、図３（ａ）に示す操作の検出タイミングを把握することにより、録音データ自体を参照せずとも、録音データ上におけるキークリック音の位置を把握することが可能である。
例えば、制御部７により特定されたキー・ボタンの種別が上述の一のキー・ボタンであった場合には、録音データ上におけるキークリック音は、操作の検出タイミングよりもｔ１秒早い位置に存在することを制御部７が推測することができる。
したがって、制御部７は、録音データの再生処理時には、記憶部４に記憶された録音処理時の操作の検出タイミングを基に、操作の検出タイミングよりもｔ１秒だけ早い位置の録音データに対して所定の処理を施すことにより、録音データ上のキークリック音をほぼ完全に除去することができるようになる。
【００３２】
図３（ｃ）は、制御部７による、録音データ再生時のキークリック音除去処理のタイミングを示すタイムチャートである。
図３（ｃ）において、斜線を付した時間帯の録音データに対し、制御部７は所定の処理（キークリック音除去処理）を施す。制御部７が施すキークリック音除去処理の時間幅（すなわち、図３（ｃ）における斜線部の時間幅）については、本発明では特に限定しない。例えば、経験的に操作部３のキー押下時にキークリック音が生じる時間幅を予め測定し、この時間幅よりも十分に長い時間幅に設定すればよい。
【００３３】
次に、制御部７が行うキークリック音除去処理について説明する。
記憶部４に、操作部３を構成する複数のキー・ボタンのそれぞれに対応してキークリック音を低減するための低減データ（例えば、キークリック音の振幅と同一の振幅を有し、かつ半周期分位相がずれたデータ）を予め記憶しておき、制御部７が、キークリック音除去処理を行うべきタイミングの前後所定の時間幅の録音データに、その低減データを合成することにより、キークリック音除去処理を行う。
低減データは、制御部７が特定した実際に操作されたキー・ボタンの種別により異なるため、記憶部４にはそれぞれの種別に対応した低減データが予め記憶されている。制御部７は、キークリック音除去処理の際には、特定したキー・ボタンの種別を基に、対応する低減データを記憶部４から読み出し、これを使用してキークリック音除去処理を行う。
なお、それぞれの種別に対応した低減データは、例えば携帯端末１００の設定時或いは製造時に、実際にこれらの種別のキー・ボタンにより生じるキークリック音を基に予め生成しておけばよい。
【００３４】
なお、本発明のキークリック音除去処理自体は、上述した方法に限定されるものではない。例えば、制御部７は、キークリック音除去処理を行うべきタイミングの前後所定の時間幅の録音データを抽出し、この抽出された録音データを平均化するとともにその平均化されたものを操作の検出タイミングに挿入することにより、録音データに含まれるキークリック音を除去してもよい。所定の時間幅は、例えば図３（ｃ）に示すキークリック音除去処理の対象となる時間幅と同一の時間幅であればよい。
【００３５】
以下、本実施形態の携帯端末１００における、録音時と再生時の動作例について説明する。
図４は、携帯端末１００の録音時の動作例を示したフローチャートである。
ステップＳＴ１：
制御部７は、例えば操作部３により検出された操作に応じて、録音部６に録音処理を開始させる。
ステップＳＴ２：
制御部７は、録音部６が録音処理を行っている間に、操作部３により操作の検出が行われたか否かを監視する。
操作の検出があった場合は、ステップＳＴ３に進み、なかった場合は、処理を終了する。
【００３６】
ステップＳＴ３：
制御部７は、ステップＳＴ２における監視で感知した操作の検出タイミングに関する情報（以下、操作の検出タイミング情報と称する）を、録音部６により録音された録音データと関連付けて記憶部４に記憶させる。
録音部６による録音処理時に、図４に示すように操作部３による操作の検出の有無を監視し、操作の検出があった場合には操作の検出タイミングを記憶することにより、後述する録音データの再生処理時にキークリック音除去処理を行うことができる。
【００３７】
図５は、携帯端末１００の録音データ再指示の動作例を示したフローチャートである。
ステップＳＴ１１：
制御部７は、記憶部４から録音データを読み出し、再生を開始する。
ステップＳＴ１２：
制御部７は、記憶部４を参照し、録音データに関連付けられた操作の検出タイミング情報があるか否かを判定する。
録音データに関連付けられた操作の検出タイミング情報がある場合はステップＳＴ１３に進み、ない場合はステップＳＴ１４に進む。
【００３８】
ステップＳＴ１３：
制御部７は、操作の検出タイミングと、特定されたキー・ボタンの種別とを基に、録音データ上においてキークリック音が生じているタイミングを把握し、そのタイミングの所定の時間幅の録音データに対して、特定されたキー・ボタンに対応したキークリック音除去処理を施す。
ステップＳＴ１４：
制御部７は、通常の録音データ再生処理を行う。
【００３９】
以上説明したように、本実施形態の携帯端末１００によれば、録音部６の録音処理時において、制御部７は操作部３により何らかの操作の検出がなされたか否かを判定し、操作の検出がなされた場合には、操作の検出がなされたタイミングを操作の検出タイミング情報として、録音部６により録音された録音データと関連付けて記憶部４に記憶する。
そして、録音データの再生時には、録音データに関連付けられた操作の検出タイミングを基に、制御部７がキークリック音除去処理を施すので、録音データの再生時にキークリック音をほぼ完全に除去することができる。
【００４０】
また、本実施形態の携帯端末１００によれば、操作部３のキーが実際に押下されたタイミングよりも、操作部３が操作を検出するタイミングが遅れることから、制御部７は、この遅れの時間を基に録音データに関連付けられた操作の検出タイミングから遡ったタイミングをキークリック音が存在するタイミングであると判断するため、より正確にキークリック音を除去することができる。
【００４１】
また、本実施形態の携帯端末１００によれば、操作部３が有する複数のキー・ボタンのそれぞれに対応するキークリック音を低減するための低減データを記憶部４に記憶している。このため、携帯端末１００の操作部３が有するどのキー・ボタンに対してもキークリック音の除去を行うことができる。
【００４２】
また、本実施形態の携帯端末１００によれば、操作部３が有する複数のキー・ボタンのそれぞれに対応する操作から検出までのタイムラグに関する情報を記憶部４に記憶しておき、録音データの再生時にキークリック音除去処理を行う際には、操作された一のキー・ボタンに対応したタイムラグを考慮してキークリック音除去処理を行うため、携帯端末１００の操作部３が有するどのキー・ボタンに対してもキークリック音の除去を正確に行うことができる。
【００４３】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
例えば、本実施形態においては、キークリック音除去処理を、録音データの再生時において行うよう構成していたが、本発明はこれには限定されず、その他の場面において行うように構成してもよい。極端に言えば、録音データが記憶部４に記憶されてから録音データが再生されるまでの間であれば、キークリック音除去処理をいつ行ってもよい。
上述した実施形態においては、携帯端末１００は携帯電話機やＰＨＳを想定していたが、本発明はこれには限定されない。例えば、ＰＤＡ（Personal Digital Assistant）等、録音部及び操作部を有する他の携帯端末であってもよい。
【図面の簡単な説明】
【００４４】
【図１】図１は、携帯端末の構成の一例を示すブロック図である。
【図２】図２は、制御部による録音部の録音処理中に、操作部に対する操作が生じた場合のタイムチャートの一例を示した図である。
【図３】図３は、録音データ再生時におけるキークリック音の発生タイミングと、これに対する所定の処理のタイミングを示したタイムチャートである。
【図４】図４は、携帯端末の録音時の動作例を示したフローチャートである。
【図５】図５は、携帯端末の録音データ再指示の動作例を示したフローチャートである。
【符号の説明】
【００４５】
１００…携帯端末、１…通信部、２…表示部、３…操作部、４…記憶部、５…撮像部、６…録音部、７…制御部
【図１】
2010054867.tif 000003
【図２】
2010054867.tif 000004
【図３】
2010054867.tif 000005
【図４】
2010054867.tif 000006
【図５】
2010054867.tif 000007